(57)【要約】【課題】複数の表示装置に対する画質の調整を容易に行うことができる表示制御装置、表示システムおよび表示制御方法を提供する。【解決手段】実施形態の一態様においては、表示制御装置は、送信部と、取得部と、表示部と、調整部とを備える。送信部は、複数の表示装置のそれぞれに対して同一の画像情報を送信する。取得部は、送信部によって送信された画像情報が表示された複数の表示装置をそれぞれ撮像した複数の撮像画像を取得する。表示部は、取得部によって取得された複数の撮像画像を調整用画像として複数の表示装置のうちの一つの所定表示装置に表示させる。調整部は、表示部によって表示された調整用画像の画質を調整可能に構成される。【選択図】図１Ｂ
2019012239.tif 000002
【特許請求の範囲】
【請求項１】
複数の表示装置のそれぞれに対して同一の画像情報を送信する送信部と、
前記送信部によって送信された前記画像情報が表示された前記複数の表示装置をそれぞれ撮像した複数の撮像画像を取得する取得部と、
前記取得部によって取得された前記複数の撮像画像を調整用画像として前記複数の表示装置のうちの一つの所定表示装置に表示させる表示部と、
前記表示部によって表示された前記調整用画像の画質を調整可能な調整部と
を備えることを特徴とする表示制御装置。
【請求項２】
前記表示部は、
前記複数の撮像画像のうちの一つを基準画像として設定し、前記基準画像と前記調整用画像とを隣接させて前記所定表示装置に表示させること
を特徴とする請求項１に記載の表示制御装置。
【請求項３】
前記表示部は、
前記所定表示装置に表示された前記複数の撮像画像のうちの一つを基準画像として設定し、前記基準画像と前記調整用画像とを比較し、比較結果を前記所定表示装置に表示させること
を特徴とする請求項１または２に記載の表示制御装置。
【請求項４】
前記表示部は、
前記比較結果の色を反転させて前記所定表示装置に表示させること
を特徴とする請求項３に記載の表示制御装置。
【請求項５】
前記表示部は、
前記基準画像と前記調整用画像とを比較して前記基準画像の画質を示す値と前記調整用画像の画質を示す値との差分を算出し、
前記調整部は、
前記表示部によって算出された差分が所定値となるように、前記調整用画像の画質を調整すること
を特徴とする請求項３または４に記載の表示制御装置。
【請求項６】
複数の表示装置と、
前記複数の表示装置を撮像する撮像部と、
前記複数の表示装置のそれぞれに対して同一の画像情報を送信する送信部と、前記送信部によって送信された前記画像情報が表示された前記複数の表示装置を前記撮像部を用いてそれぞれ撮像し、撮像した複数の撮像画像を取得する取得部と、前記取得部によって取得された前記複数の撮像画像を調整用画像として前記複数の表示装置のうちの一つの所定表示装置に表示させる表示部と、前記表示部によって表示された前記調整用画像の画質を調整可能な調整部と、を備えた表示制御装置と
を備えることを特徴とする表示システム。
【請求項７】
複数の表示装置のそれぞれに対して同一の画像情報を送信する送信工程と、
前記送信工程によって送信された前記画像情報が表示された前記複数の表示装置をそれぞれ撮像した複数の撮像画像を取得する取得工程と、
前記取得工程によって取得された前記複数の撮像画像を調整用画像として前記複数の表示装置のうちの一つの所定表示装置に表示させる表示工程と、
前記表示工程によって表示された前記調整用画像の画質を調整可能な調整工程と
を含むことを特徴とする表示制御方法。
【発明の詳細な説明】
【技術分野】
【０００１】
本発明は、表示制御装置、表示システムおよび表示制御方法に関する。
【背景技術】
【０００２】
従来、例えば車両には、ナビゲーションやオーディオなどに関する情報を表示する表示装置が搭載されている。近年、かかる表示装置は、車両に複数搭載されることがある（例えば特許文献１参照）。
【先行技術文献】
【特許文献】
【０００３】
【特許文献１】特開２００５−１３４９７１号公報
【発明の概要】
【発明が解決しようとする課題】
【０００４】
ところで、従来技術に係る表示装置において、画質の調整は表示装置ごとに行われていた。そのため、上記のように表示装置が複数であると、例えばユーザは、表示装置ごとにそれぞれ画質を調整する作業を行うこととなり、ユーザにとって煩わしかった。
【０００５】
本発明は、上記に鑑みてなされたものであって、複数の表示装置に対する画質の調整を容易に行うことができる表示制御装置、表示システムおよび表示制御方法を提供することを目的とする。
【課題を解決するための手段】
【０００６】
上記課題を解決し、目的を達成するために、本発明は、表示制御装置において、送信部と、取得部と、表示部と、調整部とを備える。送信部は、複数の表示装置のそれぞれに対して同一の画像情報を送信する。取得部は、前記送信部によって送信された前記画像情報が表示された前記複数の表示装置をそれぞれ撮像した複数の撮像画像を取得する。表示部は、前記取得部によって取得された前記複数の撮像画像を調整用画像として前記複数の表示装置のうちの一つの所定表示装置に表示させる。調整部は、前記表示部によって表示された前記調整用画像の画質を調整可能に構成される。
【発明の効果】
【０００７】
本発明によれば、複数の表示装置に対する画質の調整を容易に行うことができる。
【図面の簡単な説明】
【０００８】
【図１Ａ】図１Ａは、実施形態に係る表示制御方法の概要説明図（その１）である。
【図１Ｂ】図１Ｂは、実施形態に係る表示制御方法の概要説明図（その２）である。
【図２】図２は、実施形態における表示システムの構成例を示すブロック図である。
【図３】図３は、画像情報の一例を説明する図である。
【図４】図４は、センタディスプレイにおける表示例を示す図である。
【図５】図５は、センタディスプレイにおける他の表示例を示す図である。
【図６】図６は、表示制御装置が実行する処理手順を示すフローチャートである。
【発明を実施するための形態】
【０００９】
以下、添付図面を参照して、本願の開示する表示制御装置、表示システムおよび表示制御方法の実施形態を詳細に説明する。なお、以下に示す実施形態によりこの発明が限定されるものではない。
【００１０】
＜１．表示制御方法の概要＞
以下では先ず、実施形態に係る表示制御方法の概要について図１Ａおよび図１Ｂを参照して説明する。図１Ａ，１Ｂは、実施形態に係る表示制御方法の概要説明図である。
【００１１】
図１Ａに示すように、実施形態に係る表示制御方法は、例えば自動車などの車両１に搭載された表示制御装置１０によって実行される。車両１には、表示制御装置１０に加え、表示装置４０が搭載される。
【００１２】
表示装置４０は、複数である。なお、図１Ａに示す例では、表示装置４０は３つであるが、これに限定されるものではなく、例えば２つまたは４つ以上であってもよい。
【００１３】
複数の表示装置４０はそれぞれ、例えばナビゲーションやオーディオなどに関する情報、車速等の運転状況に関する情報など種々の情報を表示可能なディスプレイである。例えば、複数の表示装置４０は、ヘッドアップディスプレイ４１（以下、「ＨＵＤ（Head-Up  Display）４１」と記載する場合がある）と、メータディスプレイ４２と、センタディスプレイ４３とを含む。
【００１４】
ＨＵＤ４１は、車室２内の適宜位置に取り付けられ、例えば車両前方のフロントガラス３に情報を含む画像を映し出す。これにより、ＨＵＤ４１は、運転中のユーザ（ドライバ）の視野内に情報を表示することができる。
【００１５】
メータディスプレイ４２およびセンタディスプレイ４３は、例えばインストルメントパネル４に取り付けられ、各種情報を表示する。具体的には、メータディスプレイ４２は、インストルメントパネル４においてハンドル５の背面側であって運転席の正面付近に取り付けられる。センタディスプレイ４３は、インストルメントパネル４の中央付近で、運転席と助手席との間に対応する位置に取り付けられる。
【００１６】
なお、上記したＨＵＤ４１、メータディスプレイ４２およびセンタディスプレイ４３の取付位置は、あくまでも例示であって限定されるものではない。また、上記では、表示装置４０の例として、メータディスプレイ４１等を挙げたが、これらに限られない。すなわち、表示装置４０としては、メータディスプレイ４１等に加えてあるいは代えて、例えば後部席の搭乗者用のリアディスプレイなどを含んでもよい。
【００１７】
ところで、上記のように表示装置４０が複数である場合、例えば仮に、ユーザが表示装置４０ごとにそれぞれ画質を調整すると、調整に要する作業量や時間は、表示装置４０の数の分だけ増加してしまう。
【００１８】
そこで、本実施形態にあっては、表示装置４０が複数である場合であっても、複数の表示装置４０に対する画質の調整を容易に行うことができる構成とした。以下、かかる構成について詳しく説明する。
【００１９】
表示制御装置１０は、複数の表示装置４０の制御を行う。なお、表示制御装置１０の詳しい構成については、図２を参照して後述する。
【００２０】
表示制御装置１０は、さらに撮像部６１を制御してもよい。撮像部６１は、複数の表示装置４０の画面をそれぞれ撮像可能な位置に設けられる。そして、撮像部６１は、後述するように、複数の表示装置４０の画面をそれぞれ撮像し、撮像した撮像画像を表示制御装置１０へ出力する。
【００２１】
なお、図１Ａでは、撮像部６１が車室２の天井に設けられるようにしたが、設けられる位置は例示であって限定されるものではない。また、図１Ａに示す例では、撮像部６１は、１つであるが、２つ以上であってもよい。また、撮像部６１は、表示装置４０と同じ数であってもよく、かかる場合の撮像部６１は、対応する表示装置４０の画面のみを撮像するようにしてもよい。
【００２２】
なお、撮像部６１としては、例えば車載カメラを用いることができるが、これに限られない。すなわち、撮像部６１は、画質の調整作業の際に表示装置４０付近に配置される、調整専用のカメラであってもよいし、表示制御装置１０と通信可能に接続された端末であってもよい。
【００２３】
かかる端末としては、カメラ機能を有した端末であればよく、例えばスマートフォン、タブレット端末、ゲーム機、ＰＤＡ（Personal  Digital  Assistant）などを用いることができるが、これらに限定されるものではない。
【００２４】
そして、各表示装置４０の画質の調整が行われる際、本実施形態に係る表示制御装置１０は先ず、複数の表示装置４０たるＨＵＤ４１、メータディスプレイ４２およびセンタディスプレイ４３のそれぞれに対して同一の画像情報３１を送信する。
【００２５】
なお、撮像部６１が例えば上記した端末である場合、表示制御装置１０は、画像情報３１の送信処理の前に、端末とのペアリング処理を行って通信可能に接続しておいてもよい。
【００２６】
上記した画像情報３１は、例えばカラーバー情報３２を含む。これにより、図１Ａに示すように、ＨＵＤ４１、メータディスプレイ４２およびセンタディスプレイ４３の画面には、それぞれ画像情報３１（ここではカラーバー情報３２）が表示される。
【００２７】
次に、表示制御装置１０は、例えば撮像部６１を制御し、画像情報３１が表示されたＨＵＤ４１、メータディスプレイ４２およびセンタディスプレイ４３の画面を撮像し、撮像した撮像画像を取得する。
【００２８】
次に、表示制御装置１０は、撮像画像を調整用画像７１，７２，７３（図１Ｂ参照）として、複数の表示装置４０のうちの一つの所定表示装置に表示させる。ここでは、所定表示装置として、センタディスプレイ４３を用いるようにした。なお、所定表示装置は、センタディスプレイ４３に限られず、ＨＵＤ４１やメータディスプレイ４２など、その他の表示装置４０であってもよい。
【００２９】
図１Ｂは、調整用画像７１，７２，７３が表示された所定表示装置たるセンタディスプレイ４３の画面を示している。なお、調整用画像７１はＨＵＤ４１の撮像画像に対応し、調整用画像７２はメータディスプレイ４２の撮像画像に対応し、調整用画像７３はセンタディスプレイ４３の撮像画像に対応している。
【００３０】
図１Ｂに示すように、センタディスプレイ４３の画面には、調整用画像７１，７２，７３に加え、画質調整画面８０が表示される。画質調整画面８０には、調整用画像７１，７２，７３の画質の調整に用いられる各種パラメータが表示される。
【００３１】
例えば、画質調整画面８０には、輝度成分の明暗差を示すコントラスト、輝度成分の大きさを示すブライトネス、画像の色情報を示すＲＧＢ値を調整するスライドバーが表示される。なお、画質調整画面８０に表示される各種パラメータは、上記に限定されるものではない。
【００３２】
上記のように構成された画質調整画面８０のスライドバーがユーザによって操作されることで、調整用画像７１，７２，７３に対応する表示装置４０の画質がそれぞれ調整される。
【００３３】
具体的に説明すると、例えば、調整用画像７１，７２，７３のうち、調整用画像７１に対応するＨＵＤ４１の画質の調整をユーザが所望しているとする。かかる場合、調整用画像７１，７２，７３のうち、ＨＵＤ４１の調整用画像７１がユーザによって選択される。図１Ｂでは、理解の便宜のため、選択された調整用画像７１を破線の四角形で囲んで示した。
【００３４】
そして、ユーザは、調整用画像７１を視認しながら、画質調整画面８０のスライドバーを操作する。このようにスライドバーが操作されると、表示制御装置１０は、調整用画像７１に対応するＨＵＤ４１に対し、かかるスライドバーの操作に応じた画質となるように、画質調整を行う。なお、表示制御装置１０は、調整用画像７１，７２，７３を自動で調整するようにしてもよいが、これについては後述する。
【００３５】
このように、本実施形態にあっては、同一の画像情報３１が表示された複数の表示装置４０の画面を撮像し、撮像画像が複数の表示装置４０のうちの一つの所定表示装置（センタディスプレイ４３）に調整用画像７１，７２，７３として表示される。
【００３６】
これにより、例えばユーザは、所定表示装置（センタディスプレイ４３）に表示された調整用画像７１，７２，７３の画質を調整するだけで、対応する複数の表示装置４０の画質を調整することができる。すなわち、本実施形態においては、複数の表示装置４０に対する画質の調整を、一つの所定表示装置をユーザが操作するだけで容易に行うことができる。
【００３７】
＜２．表示制御装置を備えた表示システムの構成＞
次に、図２を用いて、実施形態に係る表示制御装置１０を備えた表示システム１００の構成を説明する。図２は、実施形態における表示システム１００の構成例を示すブロック図である。なお、図２では、本実施形態の特徴を説明するために必要な構成要素のみを機能ブロックで表しており、一般的な構成要素についての記載を省略している。
【００３８】
換言すれば、図２に図示される各構成要素は機能概念的なものであり、必ずしも物理的に図示の如く構成されていることを要しない。例えば、各機能ブロックの分散・統合の具体的形態は図示のものに限られず、その全部または一部を、各種の負荷や使用状況などに応じて、任意の単位で機能的または物理的に分散・統合して構成することが可能である。
【００３９】
図２に示すように、本実施形態に係る表示システム１００は、上記した表示制御装置１０と、表示装置４０と、撮像部６１と、操作部６２とを備える。
【００４０】
表示装置４０は、上記したようにＨＵＤ４１と、メータディスプレイ４２と、センタディスプレイ４３とを含む。なお、本実施形態では、表示装置４０は複数であればよいため、ＨＵＤ４１、メータディスプレイ４２およびセンタディスプレイ４３のうちの一つを除去してもよい。
【００４１】
撮像部６１は、上記したように、画像情報３１が表示された複数の表示装置４０の画面、すなわち、ＨＵＤ４１、メータディスプレイ４２およびセンタディスプレイ４３の画面を撮像し、撮像画像を表示制御装置１０の制御部２０（後述）へ出力する。
【００４２】
操作部６２は、ユーザによって操作された場合、かかる操作内容を示す信号を表示制御装置１０の制御部２０へ出力する。例えば、操作部６２は、調整用画像７１，７２，７３が表示されている所定表示装置に対し、調整用画像７１，７２，７３のいずれかを選択する操作がなされた場合、選択された調整用画像７１，７２，７３を示す信号を制御部２０へ出力する。
【００４３】
なお、操作部６２としては、各表示装置４０付近に設けられる操作ボタンや、ハンドル５（図１Ａ参照）に設けられるステアリングリモコン等を用いることができるが、これに限定されるものではない。また、例えば、センタディスプレイ４３等の表示装置４０がタッチパネルを備える場合、タッチパネルが操作部６２として機能してもよい。
【００４４】
表示制御装置１０は、制御部２０と、記憶部３０とを備える。制御部２０は、送信部２１と、撮像制御部２２と、取得部２３と、表示部２４と、調整部２５とを備え、ＣＰＵ（Central  Processing  Unit）などを有するマイクロコンピュータである。
【００４５】
また、記憶部３０は、不揮発性メモリやハードディスクドライブといった記憶デバイスで構成される記憶部であり、画像情報３１を記憶する。
【００４６】
画像情報３１は、上記したようにカラーバー情報３２を含むが、これに限定されるものではない。図３は、画像情報３１の一例を説明する図である。図３に示すように、画像情報３１は、カラーバー情報３２に代えて、グレースケールバー情報３３を含んでもよい。
【００４７】
なお、図示は省略するが、画像情報３１は、カラーバー情報３２とグレースケールバー情報３３とを組み合わせた画像情報であってもよい。また、画像情報３１は、人物や風景を示す画像情報など、その他の種類の画像情報であってもよい。
【００４８】
図２の説明に戻ると、制御部２０の送信部２１は、画像情報３１を複数の表示装置４０へ送信する。例えば、送信部２１は、各表示装置４０の画質の調整を開始する旨の指示信号がユーザによって入力されると、複数の表示装置４０のそれぞれに対して同一の画像情報３１を送信する。これにより、複数の表示装置４０には、画像情報３１がそれぞれ表示される。
【００４９】
撮像制御部２２は、撮像部６１を制御し、複数の表示装置４０の画面を撮像する。例えば、撮像制御部２２は、画像情報３１が表示されたＨＵＤ４１、メータディスプレイ４２およびセンタディスプレイ４３の画面を、撮像部６１を用いて撮像する。
【００５０】
なお、撮像部６１による複数の表示装置４０の撮像は、例えば外光など周辺環境の影響を低減させるため、同じようなタイミングで行われるが、これに限られず、互いに異なるタイミングで行われてもよい。
【００５１】
取得部２３は、撮像部６１で撮像された複数の撮像画像を取得する。表示部２４は、取得部２３によって取得された複数の撮像画像を調整用画像７１，７２，７３として、複数の表示装置４０のうちセンタディスプレイ４３（所定表示装置の一例）に表示させる。調整部２５は、表示部２４によって表示された調整用画像７１，７２，７３の画質を調整する。
【００５２】
ここで、上記した図１Ｂに示す例では、表示部２４は、調整用画像７１，７２，７３を順番に並べてセンタディスプレイ４３に表示させるようにしたが、これに限定されるものではない。図４は、センタディスプレイ４３における表示例を示す図である。
【００５３】
図４に示すように、表示部２４は、複数の撮像画像のうちの一つを基準画像として設定し、例えば画面の左側に表示させる。図４に示す例では、センタディスプレイ４３の撮像画像である調整用画像７３が基準画像として設定されるものとする。図４では、理解の便宜のため、基準画像として設定された調整用画像７３を太枠の四角形で囲んで示した。
【００５４】
なお、基準画像は、複数の撮像画像の中から任意に設定可能であるが、ここでは、例えばユーザが好む画質に調整された撮像画像がユーザによって設定されるものとする。
【００５５】
そして、残った調整用画像７１，７２のうち、調整用画像７１に対応するＨＵＤ４１の画質の調整をユーザが所望して選択している場合、表示部２４は、基準画像と、画質の調整が行われる調整用画像７１とを隣接させてセンタディスプレイ４３に表示させる。
【００５６】
このように、本実施形態では、例えばユーザが好む画質に調整された基準画像と、画質の調整が行われる調整用画像７１とを隣り合わせて表示させるようにしてもよい。これにより、ユーザは、基準画像と調整用画像７１とを見比べながら、調整用画像７１の画質調整を行うことが可能となり、よって調整用画像７１の画質を基準画像の画質に容易に近づけることができる。
【００５７】
なお、図示は省略するが、調整用画像７１の画質の調整が完了した後、続いて調整用画像７２の画質調整が行われる場合、表示部２４は、調整用画像７１と調整用画像７２との位置を入れ替えて表示させてもよい。すなわち、基準画像と、画質の調整が行われる調整用画像７２とを隣り合わせて表示させることで、調整用画像７１のときと同様、ユーザは、基準画像と調整用画像７２とを見比べながら、調整用画像７２の画質を基準画像の画質に容易に近づけることができる。
【００５８】
図５は、センタディスプレイ４３における他の表示例を示す図である。図５に示すように、表示部２４は、基準画像として設定された調整用画像７３と、画質の調整が行われる調整用画像７１とを比較し、比較結果９０をセンタディスプレイ４３に表示させてもよい。これにより、ユーザは、比較結果を見ながら、調整用画像７１の画像調整を行うことができ、よって調整用画像７１の画質を基準画像の画質に精度よく近づけることが可能となる。
【００５９】
上記した比較結果９０としては、例えば、基準画像である調整用画像７３のＲＧＢ値から調整用画像７１のＲＧＢ値を減算したＲＧＢ値で示された画像を用いることができる。但し、画質の調整によって、基準画像である調整用画像７３の画質に、調整用画像７１の画質が近づくにつれて、減算したＲＧＢ値は０に近づくことから、比較結果９０は黒っぽい画像となる。
【００６０】
比較結果９０が黒っぽい画像の場合、ユーザは、基準画像である調整用画像７３の画質と調整用画像７１の画質とが一致してＲＧＢ値が０の黒い画像になったかどうかの目視確認が難しい。
【００６１】
そこで、表示部２４は、比較結果９０の色を反転させてセンタディスプレイ４３に表示させてもよい。比較結果９０の色を反転させる方法は、任意に設定可能であるが、例えば、本実施形態では、比較結果９０を示す減算したＲＧＢ値に、ＲＧＢ値の上限値である２５５を減算して得た値（絶対値）の画像を、色を反転させた比較結果９０として用いる。
【００６２】
これにより、色を反転させた比較結果９０は、画質の調整によって基準画像である調整用画像７３の画質に、調整用画像７１の画質が近づくにつれて、ＲＧＢ値が２５５に近づいて白っぽい画像となる。そのため、ユーザは、色を反転させた比較結果９０のＲＧＢ値が２５５の白い画像になったことを目視確認することで、基準画像である調整用画像７３の画質と調整用画像７１の画質とが一致したことを認識することができる。すなわち、ユーザは、調整用画像７１の画質を基準画像の画質に精度よく一致させることが可能となる。
【００６３】
なお、本実施形態にあっては、調整用画像７１の画質を基準画像の画質に自動で一致させるように構成してもよい。例えば、図５に想像線で示すように、センタディスプレイ４３に自動調整を指示する自動調整ボタン８１が設けられる。かかる自動調整ボタン８１がユーザによって操作されると、先ず表示部２４は、基準画像と調整用画像７１とを比較して基準画像の画質を示す値と調整用画像７１の画質を示す値との差分を算出する。画質を示す値としては、例えばＲＧＢ値を用いることができるが、これに限られない。
【００６４】
そして、調整部２５は、表示部２４によって算出された差分が所定値となるように、調整用画像７１の画質を調整する。ここで、所定値は、任意の値に設定可能であるが、例えばゼロに設定されるものとする。
【００６５】
これにより、調整部２５は、表示部２４によって算出された差分がゼロとなるように、調整用画像７１の画質を調整することから、調整用画像７１の画質を基準画像の画質に容易に一致させることができる。
【００６６】
＜３．実施形態に係る表示制御装置の表示制御処理＞
次に、表示制御装置１０が表示装置４０の表示を制御する具体的な処理手順について図６を用いて説明する。図６は、表示制御装置１０が実行する処理手順を示すフローチャートである。
【００６７】
図６に示すように、表示制御装置１０の制御部２０は、画像情報３１を複数の表示装置４０へ送信する（ステップＳ１０）。次いで、制御部２０は、撮像部６１を用いて複数の表示装置４０の画面を撮像し（ステップＳ１１）、撮像された複数の撮像画像を取得する（ステップＳ１２）。
【００６８】
次いで、制御部２０は、複数の撮像画像を調整用画像７１，７２，７３として、例えばセンタディスプレイ４３に表示させる（ステップＳ１３）。そして、制御部２０は、センタディスプレイ４３に表示された調整用画像７１，７２，７３の画質を調整する（ステップＳ１４）。
【００６９】
上述してきたように、実施形態に係る表示制御装置１０は、送信部２１と、取得部２３と、表示部２４と、調整部２５とを備える。送信部２１は、複数の表示装置４０のそれぞれに対して同一の画像情報３１を送信する。取得部２３は、送信部２１によって送信された画像情報３１が表示された複数の表示装置４０をそれぞれ撮像した複数の撮像画像を取得する。表示部２４は、取得部２３によって取得された複数の撮像画像を調整用画像７１，７２，７３として複数の表示装置４０のうちの一つの所定表示装置（例えばセンタディスプレイ４３）に表示させる。調整部２５は、表示部２４によって表示された調整用画像７１，７２，７３の画質を調整可能に構成される。これにより、複数の表示装置４０に対する画質の調整を容易に行うことができる。
【００７０】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【００７１】
１０  表示制御装置
２０  制御部
２１  送信部
２３  取得部
２４  表示部
２５  調整部
３０  記憶部
３１  画像情報
４０  表示装置
４１  ヘッドアップディスプレイ（ＨＵＤ）
４２  メータディスプレイ
４３  センタディスプレイ
６１  撮像部
７１，７２，７３  調整用画像
１００  表示システム
【図１Ａ】
2019012239.tif 000003
【図１Ｂ】
2019012239.tif 000004
【図２】
2019012239.tif 000005
【図３】
2019012239.tif 000006
【図４】
2019012239.tif 000007
【図５】
2019012239.tif 000008
【図６】
2019012239.tif 000009